(57)【要約】【課題】発熱フイルム同士を簡単に接続でき、しかも各電極を接続する電線を発熱フイルムの一縁部に沿って整列させた状態でコンパクトに配置させることのできる発熱フイルムユニットを提供する。【解決手段】通電により発熱する通電膜１を備えた発熱フイルムＡであって、前記通電膜１の陰、陽両電極端子２，３が発熱フイルムＡの一縁から互いに平行となる姿勢で取り出され、これら各電極端子２，３に電線を接続するためのコネクター４，４が夫々接続されており、該コネクター４は相反する左右両端に電線を受け入れる電線接続口４１，４１を有し、且つこれら電線接続口４１，４１を結ぶ直線に対して直角な方向に向いた状態で前記発熱フイルムＡの電極端子２，３を接続するための端子接続部４２を備えている構造。【選択図】        図１
2004220983.tif 000002
【特許請求の範囲】
【請求項１】
通電により発熱する通電膜（１）を備えた発熱フイルム（Ａ）であって、前記通電膜（１）の陰、陽両電極端子（２），（３）が発熱フイルム（Ａ）の一縁から互いに平行となる姿勢で取り出され、これら各電極端子（２），（３）に電線を接続するためのコネクター（４），（４）が夫々接続されており、該コネクター（４）は相反する左右両端に電線（５），（８）を接続する電線接続口（４１），（４１）を有し、且つこれら電線接続口（４１），（４１）を結ぶ仮想直線に対して直角な方向に向いた状態で前記発熱フイルム（Ａ）の電極端子（２），（３）を接続するための端子接続部（４２）が設けられている発熱フイルムユニット。
【請求項２】
前記電線コネクター（４），（４）の一方の電線接続口（４１）に接続された電線（５）の先端に雄雌何れかのジョイント端子（６）が接続され、他方の電線接続口（４１）に接続された電線（８）の先端に前記ジョイント端子（６）と接続できるジョイント端子（７）が設けられている請求項１に記載の発熱フイルムユニット。
【請求項３】
前記電線コネクター（４），（４）の電線接続口（４１），（４１）に電線（５），（８）のプラグ（５２），（８２）を受け入れて通電接続するソケット（４８），（４８）が設けられている請求項１に記載の発熱フイルムユニット。
【発明の詳細な説明】
【０００１】
【発明が属する技術分野】
本発明は、床暖房や電気カーペット等の発熱体として使用される発熱フイルムユニットに関するものである。
【０００２】
【従来の技術】
従来、床暖房や電気カーペット等の発熱体として、通電により発熱する銅箔やアルミ箔等の通電膜を備えた発熱フイルムがある。この発熱フイルムは使用される面積に合わせて必要な数だけを平面上に敷設し、各電極を電線で接続して使用されている。
【０００３】
【発明が解決しようとする課題】
しかし従来では、多数の発熱フイルムを接続するのに、電線と各発熱フイルムの電極とを接続する作業が煩雑であると共に、電極同士を接続した電線が絡み合ってトラブルの要因となると共に補修や点検が面倒であるといった問題点があった。
【０００４】
そこで本発明は、発熱フイルム同士を簡単に接続でき、しかも各電極を接続する電線を発熱フイルムの一縁部に沿って整列させた状態でコンパクトに配置させることのできる発熱フイルムユニットを提供し、以って上記した従来課題の解決を図ることを主たる目的とするものである。
【０００５】
【課題を解決するための手段】
上記目的を達成するために本発明では次のような技術的手段を講じた。即ち本発明に係る発熱フイルムユニットにあっては、通電により発熱する通電膜１を備えた発熱フイルムＡであって、前記通電膜１の陰、陽両電極端子２，３が発熱フイルムＡの一縁から互いに平行となる姿勢で取り出され、これら各電極端子２，３に電線を接続するためのコネクター４，４が夫々接続されており、該コネクター４は相反する左右両端に電線を受け入れる電線接続口４１，４１を有し、且つこれら電線接続口４１，４１を結ぶ直線に対して直角な方向に向いた状態で前記発熱フイルムＡの電極端子２，３を接続するための端子接続部４２を備えている構造とした。これにより各発熱フイルムをコネクター４，４を介して簡単に接続することができると共に、接続された電線は発熱フイルムＡの一縁に沿って平行な姿勢で整然と配置されて電線同士が絡み合うことを未然に防止でき、かつ結線状態が一目瞭然に判別できて点検や補修が容易となる。
【０００６】
また本発明では、前記コネクター４，４の一方の電線接続口４１に接続された電線５の先端に雄雌何れかのジョイント端子６を取り付け、他方の電線接続口４１に接続された電線８の先端に前記ジョイント端子６と接続できるジョイント端子７を取り付けておく構造とするのが好ましい。これにより、各発熱フイルムＡのジョイント端子６，７をジョイントするだけで簡単に多数の発熱フイルムＡを接続することができる。
【０００７】
【発明の実施の形態】
以下本発明に係る発熱フイルムユニットの詳細を説明する。
図１乃至図４は本発明の第１の実施例を示すものであって、符号Ａで発熱フイルムを示す。この発熱フイルムＡは、四角形の薄い絶縁性合成樹脂フイルムに銅箔やアルミ箔のように通電により発熱する複数の通電膜１が一定の間隔を隔てて平行に配置されている。更に、通電膜１の陰、陽両電極端子２，３が発熱フイルムＡの一縁から互いに平行となる姿勢で延出されており、これら各電極端子２，３に電線を接続するためのコネクター４，４が夫々接続されいる。
【０００８】
前記コネクター４，４は、相反する左右両端面に電線５，８を受け入れる電線接続口４１，４１を有し、且つこれら電線接続口４１，４１を結ぶ直線に対して直角な方向に向いた状態で前記発熱フイルムＡの電極端子２，３を接続するための端子接続部４２を備えている。
【０００９】
本実施例では、前記コネクター４は図２に示すように、導体金属で形成された圧着端子４３が半裁体状の樹脂ケース４４，４４で被覆され、この圧着端子４３に電線５，８の芯線５１，８１を圧着接続するスリーブ４５，４５と、前記通電膜１の電極端子を挟み込んで圧着接続する接続部４２が設けられている。
【００１０】
更に本実施例では、前記電線コネクター４，４の一方の電線接続口４１に接続された電線５の先端に雄雌何れかのジョイント端子６が設けられ、他方の電線接続口４１に接続された電線８に前記ジョイント端子６と接続できるジョイント端子７が設けられてる。
【００１１】
前記ジョイント端子６は図３に詳しく示すように、樹脂ケース６１の内部に導体金属で形成された圧着端子６２が収納され、この圧着端子６２に電線５の芯線５１を圧着接続するスリーブ６３と、後述するジョイント端子７の棒状端子７４を受け入れる筒部６４とが設けられている。
【００１２】
他方のジョイント端子７は、樹脂ケース７１の内部に導体金属で形成された圧着端子７２が収納され、この圧着端子７２に電線８の芯線８１を圧着接続するスリーブ７３と、前述したジョイント端子６の筒部６４に挿通して接続される棒状端子７４とが設けられている。また前記ジョイント端子６は雄型の形態をなし、これの挿入部６５を他方のジョイント端子７の受孔７５に挿入することによって前記棒状端子７４が筒部６４に挿入されてワンタッチで両ジョイント端子６，７が通電状態に接続できるように形成されている。
【００１３】
上記の構成において、図１で示す発熱フイルムＡを多数接続する場合は、図４に示すように各発熱フイルムＡの同極同士を前記ジョイント端子６，７を介して接続することにより簡単に接続することができる。この際、電極端子２，３と電線５，８を接続するコネクター４の電線接続口４１，４１が左右相反する方向にむけて形成され、且つこれら電線接続口４１，４１を結ぶ直線に対して直角に前記発熱フイルムＡの電極端子２，３が接続されているから、各発熱フイルムＡを結ぶ電線５，８が発熱フイルムＡの一縁に沿って平行な姿勢で整然と且つコンパクトに配置されて電線同士が絡み合うことを未然に防止でき、かつ結線状態が一目瞭然に判別できて点検や補修が容易となる。
【００１４】
尚、上記実施例では、コネクター４，４にジョイント端子６，７を連結した実施例を示したが、このジョイント端子６，７を省略して各発熱フイルムＡのコネクター４同士を直接電線で接続することも可能である。
【００１５】
図５は前記ジョイント端子６，７を省略した場合に好適なコネクターの実施例を示すものであって、このコネクター４は樹脂製ケース４６の相反する左右両端面に電線接続口４１，４１を有し、且つこれら電線接続口４１，４１を結ぶ直線に対して直角な方向に向いた状態で前記発熱フイルムＡの電極端子２，３を接続するための端子接続部４２を備えている。前記樹脂ケース４６の内部には導体金属で形成された圧着端子４７が装着され、この圧着端子４７に電線５，８の芯線５１，８１に連なるプラグ５２，８２を受け入れて通電接続する筒状のソケット４８，４８と、前記通電膜１の電極端子を挟み込んで圧着接続する接続部４２が設けられている。また前記電線５，８のプラグ５２，８２は樹脂製の筒状カバー５３，８３で覆われ、この筒状カバー５３，８３をコネクターの電線接続口４１，４１に差し込むことによりプラグ５２，８２が圧着端子４７のソケット４８，４８に挿通して互いに電通状態に接続できるようになっている。またプラグ５２，８２をコネクター４に差し込んだときにプラグの筒状カバー５３，８３に設けたフック５４，８４がコネクターのケース４６の係合孔４９，４９に係合してプラグが容易に離脱しないように形成されている。従ってこの実施例においても、電線５，８のプラグ５２，８２をコネクター４の電線接続口４１，４１に差し込むだけで容易に隣り合う発熱フイルム同士を接続することができると共に、前記実施例と同様に電線５，８を発熱フイルムＡの一縁に沿って平行な姿勢で整然と且つコンパクトに配置することができる。
【００１６】
以上本発明の代表的な実施例について説明したが、本発明は必ずしも上記の実施例構造のみに特定されるものではなく、本発明の構成要件を備え、且つ効果を有する範囲内で適宜変更して実施できることは勿論である。
【００１７】
【発明の効果】
本発明の発熱フイルムユニットは上記の如く構成したものであるから、各発熱フイルムを結ぶ電線が発熱フイルムの一縁に沿って平行な姿勢で整然と且つコンパクトに配置させることができ、これにより電線同士が絡み合うことを未然に防止することができるとともに、結線状態が一目瞭然に判別できて点検や補修が容易となるといった効果がある。殊に、請求項２の構成とすることにより、発熱フイルムＡの同極同士を雄雌のジョイント端子を介して接続することにより工具を使用することなく簡単に接続することができるといった顕著な効果がある。
【図面の簡単な説明】
【図１】本発明に係る発熱フイルムユニットの一実施例を示す正面図。
【図２】上記発熱フイルムユニットのコネクター部分を示す分解斜視図。
【図３】上記発熱フイルムユニットのジョイント端子部分を示す分解斜視図。
【図４】上記発熱フイルムユニットの接続状態を示す正面図。
【図５】本発明に係る発熱フイルムユニットの別の実施例を示す断面図。
【符号の説明】
Ａ  発熱フイルム
１  通電膜
２  電極端子
３  電極端子
４  コネクター
４１電線接続口
４８  ソケット
５  電線
５２  プラグ
６  ジョイント端子
７  ジョイント端子
８  電線
８２  プラグ
【図１】
2004220983.tif 000003
【図２】
2004220983.tif 000004
【図３】
2004220983.tif 000005
【図４】
2004220983.tif 000006
【図５】
2004220983.tif 000007